(57)【要約】【課題】十分な曲げ剛性を有する、杭状物の連結体を提供する。【解決手段】少なくとも二本の杭状物２，２を連結継手１０によって連結した連結体１である。杭状物２，２は、軸線方向の連結側に端部部材４，７を備える。端部部材４，７には、係合穴５，８が形成され、その周囲にねじ穴６，９が形成される。連結継手１０は、一対のフランジ部１１，１５と、これを連結する連結部１４とを備える。各フランジ部１１，１５には、外方に突出した係合突出部１２，１６が形成され、係合突出部１２，１６の周囲には、ボルト穴１３，１７が形成される。連結継手１０は、一方の係合突出部１２が一方の杭状物２の係合穴５に嵌合され、他方の係合突出部１６が他方の杭状物２の係合穴８に嵌合された状態で、各フランジ部１１，１５のボルト穴１３，１７を通して、ボルト１９を杭状物２のねじ穴６，９に締結することにより、各杭状物２，２に固着される。【選択図】図１
2016217128.tif 000002
【特許請求の範囲】
【請求項１】
軸線方向の連結側に、その端面を構成する端部部材を備え、該端部部材には、前記軸線方向に沿って少なくとも外方に開口するように係合穴が形成されるとともに、該係合穴の周囲に複数のねじ穴が形成された、少なくとも二本の杭状物を、前記軸線方向に沿って直線状に連結するための連結継手であって、
所定の間隔を空けて設けられた一対のフランジ部と、該フランジ部間を連結する連結部とを備えて成り、
前記各フランジ部には、それぞれ外方に突出した、前記杭状物の係合穴に嵌合可能な係合突出部が形成されるとともに、該各係合突出部の周囲には、前記杭状物のねじ穴に対応するようにボルト穴が形成されていることを特徴とする連結継手。
【請求項２】
前記杭状物の外径をＤ、前記係合突出部の外径をｄ、該係合突出部の突出長さをＬ、前記端部部材の前記軸線方向における厚みをｔとしたとき、前記Ｄ，ｄ，ｔ及びＬは以下の関係を満たしていることを特徴とする請求項１記載の連結継手。
０．６×Ｄ≦ｄ≦０．８Ｄ
１２ｍｍ≦Ｌ≦ｔ
【請求項３】
前記一対のフランジ部のうち一方のフランジ部と他方のフランジ部とに接触するように補強リブが接合されていることを特徴とする請求項１又は２記載の連結継手。
【請求項４】
前記連結部は円筒状に形成されており、
前記補強リブは、前記連結部の中心を基準として放射状に且つ等角度間隔に少なくとも３つ設けられていることを特徴とする請求項３記載の連結継手。
【請求項５】
所定の間隔を空けて設けられた一対のフランジ部と、該フランジ部間を連結する連結部とを備え、該各フランジ部には、それぞれ外方に突出するように係合突出部が形成されるとともに、該各係合突出部の周囲に、それぞれ複数のボルト穴が形成された連結継手によって、その軸線方向に沿って直線状に連結される杭状物であって、
前記軸線方向の連結側に、その端面を構成する端部部材を備えるとともに、該端部部材には、前記軸線方向に沿って少なくとも外方に開口するように、前記連結継手の係合突出部と嵌合可能な係合穴が形成され、更に、該係合穴の周囲に、前記連結継手のボルト穴に対応するようにねじ穴が形成されていることを特徴とする杭状物。
【請求項６】
少なくとも二本の杭状物を、連結継手により、その軸線方向に沿って直線状に連結して構成される杭状物の連結体であって、
前記杭状物は、前記軸線方向の連結側に、その端面を構成する端部部材を備え、該端部部材には、前記軸線方向に沿って少なくとも外方に開口するように係合穴が形成されるとともに、該係合穴の周囲に複数のねじ穴が形成され、
前記連結継手は、所定の間隔を空けて設けられた一対のフランジ部と、該フランジ部間を連結する連結部とを備え、前記各フランジ部には、それぞれ外方に突出した、前記杭状物の係合穴に嵌合可能な係合突出部が形成されるとともに、該各係合突出部の周囲には、前記杭状物のねじ穴に対応するようにボルト穴が形成されてなり、
前記連結継手は、その一方の係合突出部が、連結される二本の杭状物の内の、一方の杭状物の前記係合穴に嵌合されるとともに、その他方の係合突出部が、他方の杭状物の前記係合穴に嵌合された状態で、各フランジ部のボルト穴を通して、ボルトを前記杭状物のねじ穴に締結することによって、各杭状物に固着されていることを特徴とする杭状物の連結体。
【請求項７】
前記杭状物の外径をＤ、前記係合突出部の外径をｄ、該係合突出部の突出長さをＬ、前記端部部材の前記軸線方向における厚みをｔとしたとき、前記Ｄ，ｄ，ｔ及びＬは以下の関係を満たしていることを特徴とする請求項６記載の杭状物の連結体。
０．６×Ｄ≦ｄ≦０．８Ｄ
１２ｍｍ≦Ｌ≦ｔ
【発明の詳細な説明】
【技術分野】
【０００１】
本発明は、基礎用の杭、電柱や照明塔などに用いられるポールといった柱状の物体（以下、これらを「杭状物」という）を、その軸線に沿って直線状に連結するための連結継手、及びこの連結継手によって連結可能な杭状物、並びにこの連結継手によって連結された杭状物の連結体に関する。
【背景技術】
【０００２】
前記杭状物は、従来、その用途や目的によって、様々なものが提案されている。例えば、基礎用の杭の場合には、所謂コンクリートパイル（ＰＨＣパイル、ＣＰＲＣパイル、ＳＣパイルなど）や、鋼管製の鋼管杭などが提案され、前記ポールも同様に、コンクリート製のポールや鋼管製のポールなどが提案されている。
【０００３】
そして、このような杭状物は、その必要な長さが用途に応じて様々であることや、当該杭状物を、搬送車等によって製造工場から使用現場まで搬送する際に、その搬送上の制約があることなどから、一般的には、その単体の長さは６〜１５ｍ程度に設定されている。
【０００４】
したがって、使用長さが、単体の長さ以上である場合には、必然的に、使用現場において、二本以上の杭状物を連結する必要があり、従来、このような連結手法の一例として、特開２００２−１３１３６号公報（下記特許文献１）に開示されるものが知られている。
【０００５】
この特許文献１に開示される手法は、ねじ継手によって鋼管杭を連結するというものであり、このねじ継手は、それぞれ短管部材から構成される雌ねじ部材及び雄ねじ部材からなる。雌ねじ部材は、その内周部にテーパ状の雌ねじが形成され、他方、雄ねじ部材は、その外周部にテーパ状の雄ねじが形成されており、雌ねじ部材を一方の鋼管杭に溶接接合し、雄ねじ部材を他方の鋼管杭に溶接接合した状態で、雌ねじ部材の雌ねじ部に雄ねじ部材の雄ねじを螺合させることにより、雄ねじ部材と雌ねじ部材とが結合され、これによって、二本の鋼管杭が連結される。
【０００６】
尚、特許文献１に開示される方法では、使用する鋼管杭に無駄が生じないように、使用現場において、ねじ継手を鋼管杭に溶接接合するようにしている。具体的には、継ぎ足される側の鋼管杭に雌ねじ部材を溶接接合するとともに、継ぎ足し用の鋼管杭を必要な長さに切断した後、この継ぎ足し用の鋼管杭に雄ねじ部材を溶接接合し、この後、雌ねじ部材と雄ねじ部材とを螺合させることによって、二本の鋼管杭を連結する。
【０００７】
斯くして、この特許文献１に開示されたねじ継手によれば、雌ねじ部材と雄ねじ部材とを螺合させることによって、二本の鋼管杭を自動的に芯合わせした状態で連結することができる。また、使用現場で、継ぎ足し用の鋼管杭を必要な長さに調整するとともに、必要なねじ継手を使用現場で溶接接合するようにすれば、ねじ継手及び鋼管杭が無駄に廃棄されるのを防止することができ、結果、施工費の低減が図れるとのことである。
【先行技術文献】
【特許文献】
【０００８】
【特許文献１】特開２００２−１３１３６号公報
【発明の概要】
【発明が解決しようとする課題】
【０００９】
ところで、基礎用の杭、電柱や照明塔などに用いられるポールといった杭状物の連結体は、その使用状態において、その軸線と交差する方向の外力を受けるため、その連結部において、十分な曲げ剛性を備えていることが求められる。
【００１０】
ところが、上述した従来のねじ継手は、構造的に、曲げモーメントに対して十分な剛性を備えていないという問題があった。即ち、上記従来のねじ継手の場合、ねじ部がテーパねじであるので、これに曲げモーメントが作用すると、当該曲げモーメントによって、前記雌ねじ部材は、その雌ねじ部の開口部が拡径するように弾性変形し、この弾性変形によって、雌ねじ部材と雄ねじ部材との締結が緩むという現象を生じるのである。
【００１１】
また、上記従来のねじ継手の場合、曲げモーメントが作用すると、曲げ外側部分のねじ部には引張り力が作用し、曲げ内側部分のねじ部には圧縮力が作用するが、引張り力が作用するねじ部では、ねじ山が破断し易く、この面からしても、十分な剛性を備えていない。
【００１２】
本発明は、以上の実情に鑑みなされたものであって、杭状物を連結させた状態で、十分な曲げ剛性を発現し得る連結継手、及びこの連結継手によって連結可能な杭状物、並びにこの連結継手によって連結された杭状物の連結体の提供を、その目的とする。
【課題を解決するための手段】
【００１３】
上記課題を解決するための本発明に係る連結継手は、
軸線方向の連結側に、その端面を構成する端部部材を備え、該端部部材には、前記軸線方向に沿って少なくとも外方に開口するように係合穴が形成されるとともに、該係合穴の周囲に複数のねじ穴が形成された、少なくとも二本の杭状物を、前記軸線方向に沿って直線状に連結するための連結継手であって、
所定の間隔を空けて設けられた一対のフランジ部と、該フランジ部間を連結する連結部とを備えて成り、
前記各フランジ部には、それぞれ外方に突出した、前記杭状物の係合穴に嵌合可能な係合突出部が形成されるとともに、該各係合突出部の周囲には、前記杭状物のねじ穴に対応するようにボルト穴が形成されて成る。
【００１４】
また、本発明に係る杭状物は、
所定の間隔を空けて設けられた一対のフランジ部と、該フランジ部間を連結する連結部とを備え、該各フランジ部には、それぞれ外方に突出するように係合突出部が形成されるとともに、該各係合突出部の周囲に、それぞれ複数のボルト穴が形成された連結継手によって、その軸線方向に沿って直線状に連結される杭状物であって、
前記軸線方向の連結側に、その端面を構成する端部部材を備えるとともに、該端部部材には、前記軸線方向に沿って少なくとも外方に開口するように、前記連結継手の係合突出部と嵌合可能な係合穴が形成され、更に、該係合穴の周囲に、前記連結継手のボルト穴に対応するようにねじ穴が形成されて成る。
【００１５】
更に、本発明に係る杭状物の連結体は、
少なくとも二本の杭状物を、連結継手により、その軸線方向に沿って直線状に連結して構成される杭状物の連結体であって、
前記杭状物は、前記軸線方向の連結側に、その端面を構成する端部部材を備え、該端部部材には、前記軸線方向に沿って少なくとも外方に開口するように係合穴が形成されるとともに、該係合穴の周囲に複数のねじ穴が形成され、
前記連結継手は、所定の間隔を空けて設けられた一対のフランジ部と、該フランジ部間を連結する連結部とを備え、前記各フランジ部には、それぞれ外方に突出した、前記杭状物の係合穴に嵌合可能な係合突出部が形成されるとともに、該各係合突出部の周囲には、前記杭状物のねじ穴に対応するようにボルト穴が形成されてなり、
前記連結継手は、その一方の係合突出部が、連結される二本の杭状物の内の、一方の杭状物の前記係合穴に嵌合されるとともに、その他方の係合突出部が、他方の杭状物の前記係合穴に嵌合された状態で、各フランジ部のボルト穴を通して、ボルトを前記杭状物のねじ穴に締結することによって、各杭状物に固着されて成る。
【００１６】
本発明に係る前記杭状物及び連結継手は適宜使用現場に搬入され、必要に応じ、前記連結継手を介して前記杭状物同士が連結されながら、使用される。即ち、例えば、前記杭状物が基礎用杭の場合、まず、最初の杭を、その前記端部部材が上方に位置するようにして、適宜埋設設備を用いて地中に埋め込む。尚、この最初の杭については、その両端部に端部部材が設けられている必要はなく、少なくとも、一方の端部に前記端部部材が設けられていれば足り、上述した如く、この端部部材が上方に位置するようにして、当該杭を地中に埋め込む。
【００１７】
次に、埋め込んだ杭（以下、「埋め込み杭」という）に継ぎ足し用の杭（以下、「継ぎ足し杭」という）を連結するには、まず、前記連結継手を用意し、その一方の係合突出部を、埋め込み杭の前記端部部材に形成された係合穴に嵌合させるとともに、当該端部部材の上端面と当該係合突出部が形成されたフランジ部（下側のフランジ部）の下面とを当接させる。そして、この下側のフランジ部に形成された各ボルト穴を通して、それぞれボルトを前記端部部材に形成されたねじ穴に螺合させて締め込み、当該埋め込み杭に連結継手を締結する。
【００１８】
ついで、前記埋設設備を用いて、継ぎ足し杭を前記埋め込み杭の上方に位置させ、連結継手が連結された埋め込み杭と継ぎ足し杭とが、その軸線方向に沿って直線状に配置されるようにする。尚、この継ぎ足し杭は、少なくとも連結側の端部に、前記端部部材が設けられている必要があるが、連続的に継ぎ足す場合には、その両端部に前記端部部材が設けられている必要がある。
【００１９】
次に、継ぎ足し杭を降下させて、その下端の端部部材に形成された係合穴に、前記連結継手の上側のフランジ部に形成された係合突出部を嵌合させるとともに、この上側のフランジ部の上面と、当該端部部材の下端面とを当接させる。そして、上側のフランジ部に形成された各ボルト穴を通して、それぞれボルトを前記端部部材に形成されたねじ穴に螺合させて締め込み、当該継ぎ足し杭と連結継手とを締結する。
【００２０】
そして、このようにして埋め込み杭と継ぎ足し杭とを連結した後、前記埋設設備を用いて、これらを更に地中に埋め込む。以後、同様にして、必要に応じ、連結継手によって継ぎ足し杭を継ぎ足しながら、当該杭を地中に埋め込んでいく。
【００２１】
斯くして、以上のようにして連結された埋め込み杭と継ぎ足し杭とは、連結継手のフランジの端面と、各杭の端部部材の端面とが当接し、また、端部部材の係合穴に連結継手の係合突出部が嵌合された状態で、ボルトによって締結されているので、各杭と連結継手とが強固に連結される。
【００２２】
即ち、例えば、杭と連結継手との間に、その横断面に沿った方向の剪断力が作用する場合、この剪断力は、杭と連結継手との連結部において、その各ボルト及び係合突出部が有する剪断剛性によって支えられる。また、杭と連結継手との間に、その軸線を曲げるような曲げモーメントが作用する場合、この曲げモーメントは、杭と連結継手との連結部において、前記各ボルトの引張強度、並びに前記端部部材の係合穴と連結継手の係合突出部との嵌合関係、言い換えれば、前記端部部材の係合穴部の曲げ剛性及び前記係合突出部の曲げ剛性によって支えられる。
【００２３】
このように、本発明に係る連結継手及び杭状物によって構成される連結体は、その連結構造が強固であり、曲げモーメントに対して高い剛性を備えている。
【００２４】
尚、言うまでもないことではあるが、連結順序は、上述した順序である必要はなく、継ぎ足し杭に連結継手を連結した後、当該連結継手を埋め込み杭に連結するようにしても良い。
【００２５】
また、曲げモーメントに対して適度な剛性を備えるには、前記杭状物の外径をＤ、前記係合突出部の外径をｄ、該係合突出部の突出長さをＬ、前記端部部材の前記軸線方向における厚みをｔとしたとき、前記Ｄ，ｄ，ｔ及びＬは以下の関係を満たしているのが好ましい。
０．６×Ｄ≦ｄ≦０．８Ｄ
１２ｍｍ≦Ｌ≦ｔ
【００２６】
また、曲げモーメントに対して剛性をさらに高めるには、前記一対のフランジ部のうち一方のフランジ部と他方のフランジ部とに接触するように補強リブが接合されていることが好ましい。
【００２７】
また、前記連結部は円筒状に形成されており、前記補強リブは、前記連結部の中心を基準として放射状に且つ等角度間隔に少なくとも３つ設けられていることが好ましい。これにより、周方向における、曲げモーメントに対する剛性を均等にすることができる。
【００２８】
また、本発明における前記杭状物は、上述した如く、基礎用の杭、電柱や照明塔などに用いられるポールといった柱状の構造物を意図しており、その材質については何ら制限はなく、コンクリート製の物、金属製の物や樹脂製の物などが含まれる。
【発明の効果】
【００２９】
以上詳述したように、本発明に係る連結継手及び杭状物によって構成される連結体は、その連結構造が強固であり、また、曲げモーメントに対して強い剛性を有しているため、このような連結体を、基礎用の杭、並びに電柱や照明塔などポールとして用いれば、剪断力や曲げモーメントに対して十分な剛性を備えた構造物とすることができる。
【図面の簡単な説明】
【００３０】
【図１】本発明の一実施形態に係る杭状物の連結体を一部破断して示した正面図である。
【図２】図１における矢視Ａ−Ａ方向の断面図である。
【図３】図１における連結継手部を拡大して示した拡大図である。
【図４】本発明の他の実施形態に係る杭状物の連結体を一部破断して示した正面図である。
【図５】本発明の更に他の実施形態に係る杭状物の連結体を一部破断して示した正面図である。
【発明を実施するための形態】
【００３１】
以下、本発明の具体的な実施の形態について、図面を参照しながら説明する。
【００３２】
図１は、本発明の一実施形態に係る鋼管杭の連結体を一部破断して示した正面図であり、図２は、図１における矢視Ａ−Ａ方向の断面図である。図１に示すように、本例の連結体１は、二本の鋼管杭２，２を連結継手１０で連結したものである。
【００３３】
前記鋼管杭２は、鋼管である杭本体３と、この杭本体３の両端部にそれぞれ溶接によって固設されたリング状の端部部材４，７とからなる。
【００３４】
前記端部部材４，７は、鋼管杭２の端面を構成する部材であり、その中心部の貫通穴が係合穴５，８となっており、この係合穴５，８の周囲に、それぞれ複数（本例では４つ）の貫通したねじ穴６，９が形成されている。尚、本例では、このねじ穴６，９を、端部部材４，７に直接形成した態様としているが、この他に、端部部材４，７のねじ穴を形成すべきところに貫通穴を穿設するとともに、ねじ穴を形成した円筒状の部材を前記貫通穴に挿入して、この円筒部材を端部部材４，７に対して溶接によって接合した態様としても良い。
【００３５】
前記連結継手１０は、所定の間隔を空けて設けられた一対のフランジ部１１，１５と、このフランジ部１１，１５間を連結する連結部１４とを一体的に備えるもので、各フランジ部１１，１５には、それぞれ外方に突出するように係合突出部１２，１６が形成され、更に、中心部には貫通穴１８が形成されている。
【００３６】
図３に示すように、前記フランジ部１１と、フランジ部１５と、円筒状の連結部１４の外周面とに接触するように補強リブ６０が溶接されている。補強リブ６０は、連結部１４の中心を基準として放射状に且つ等角度間隔に少なくとも３つ設けられる。図２の例では、４つの補強リブ６０が設けられている。補強リブ６０は例えば板状に形成されており、その厚みは例えば９ｍｍ以上である。また、図２に示すように、補強リブ６０の外縁部は、一対のフランジ部１１，１５の外周縁部の位置まで延設されている。尚、図２に示すように、補強リブ６０は、各ボルト穴１３，１７に干渉しない位置で且つ当該各ボルト穴１３，１７に締結される各ボルト１９に干渉しない位置に配設されている。
【００３７】
前記係合突出部１２，１６は、その横断面がリング形状を有しており、その外周部を前記端部部材４，７の係合穴５，８に嵌入可能、即ち、この係合突出部１２，１６と係合穴５，８とは、嵌め合いによって係合するようになっている。また、この係合突出部１２，１６の周囲には、前記端部部材４，７に形成された複数のねじ穴６，９に対応するように、ボルト穴１３，１７が形成されている。
【００３８】
そして、前記連結継手１０は、その一方の係合突出部１２が、連結される二本の鋼管杭２の内の、一方の鋼管杭２の係合穴５に嵌合されるとともに、他方の係合突出部１６が、他方の鋼管杭２の係合穴８に嵌合された状態で、各フランジ部１１，１５のボルト穴１３，１７を通して、ボルト１９が鋼管杭２，２のねじ穴６，９に締結されることによって、各鋼管杭２，２に固着され、この連結継手１０を介して、鋼管杭２，２が連結される。
【００３９】
次に、以上の構成を備えた本例の鋼管杭２及び連結継手１０の使用態様について説明する。尚、本例の鋼管杭２は、基礎用の杭であるとする。
【００４０】
まず、製造工場において、前記鋼管杭２及び連結継手１０を適宜製造し、それぞれ必要な個数を使用現場に搬入する。
【００４１】
そして、使用現場では、適宜埋設設備を用いて、まず、最初の鋼管杭２を鉛直に立てた状態で地中に埋め込み、以後、必要に応じて、図１に示すように、埋め込んだ下側の鋼管杭２に次の鋼管杭２を連結しながら、順次埋設して杭基礎を形成する。
【００４２】
尚、下側の鋼管杭２に次の鋼管杭２を連結する一態様について説明すると、まず、前記連結継手１０の一方の係合突出部１６を、下側の鋼管杭２の端部部材７に形成された係合穴８に嵌合させるとともに、当該端部部材７の上端面と当該係合突出部１６が形成されたフランジ部１５（下側のフランジ部）の下面とを当接させる。そして、この下側のフランジ部１５に形成された各ボルト穴１７を通して、それぞれボルト１９を前記端部部材７に形成されたねじ穴９に螺合させて締め込み、当該下側の鋼管杭２と連結継手１０とを締結する。
【００４３】
ついで、前記埋設設備を用いて、次の鋼管杭２を前記下側の鋼管杭２の上方に位置させ、連結継手１０が連結された下側の鋼管杭２と次の鋼管杭２とが、その軸線方向に沿って直線状に配置されるようにする。
【００４４】
次に、上側の鋼管杭２を降下させて、その下端の端部部材４に形成された係合穴５に、前記連結継手１０の上側のフランジ部１１に形成された係合突出部１２を嵌合させるとともに、この上側のフランジ部１１の上面と、当該端部部材４の下端面とを当接させる。そして、上側のフランジ部１１に形成された各ボルト穴１３を通して、それぞれボルト１９を前記端部部材４に形成されたねじ穴６に螺合させて締め込み、当該上側の鋼管杭２と連結継手１０とを締結する。以上により、連結継手１０を介して、下側の鋼管杭２に次の鋼管杭２が連結される。
【００４５】
斯くして、上述した連結継手１０により鋼管杭２，２を連結した本例の連結体１は、連結継手１０のフランジ部１１，１５の端面と、各鋼管杭２，２の端部部材４，７の端面とが当接し、また、端部部材４，７の係合穴５，８に連結継手１０の係合突出部１２，１６が嵌合された状態で、ボルト１９によって締結されているので、各鋼管杭２，２と連結継手１０とが強固に連結される。
【００４６】
即ち、例えば、図３に示すように、鋼管杭２，２と連結継手１０との間に、その横断面に沿った方向の剪断力Ｗが作用する場合、鋼管杭２，２と連結継手１０との連結部において、この剪断力Ｗは、各ボルト１９及び係合突出部１２，１６が有する剪断剛性によって支えられる。また、鋼管杭２，２と連結継手１０との間に、その軸線を曲げるような曲げモーメントＭが作用する場合、鋼管杭２，２と連結継手１０との連結部において、この曲げモーメントＭは、前記各ボルト１９の引張強度、並びに前記端部部材４，７の係合穴５，８と連結継手１０の係合突出部１２，１６との嵌合関係、言い換えれば、前記端部部材４，７の係合穴５，８部の曲げ剛性及び前記係合突出部１２，１６の曲げ剛性によって支えられる。
【００４７】
したがって、本例の鋼管杭２，２及び連結継手１０によって構成される連結体１は、その連結構造が強固であり、曲げモーメントＭに対しても高い剛性を備えている。
【００４８】
尚、曲げモーメントＭに対して適度な剛性を備えるには、前記鋼管杭２の外径をＤ、前記係合突出部１２，１６の外径をｄ、該係合突出部１２，１６の突出長さをＬ、端部部材４，７の軸線方向における厚みをｔとしたとき、前記Ｄ，ｄ，ｔ及びＬは以下の関係を満たしているのが好ましい。
０．６×Ｄ≦ｄ≦０．８Ｄ
１２ｍｍ≦Ｌ≦ｔ
【００４９】
また、前記フランジ部１１と、フランジ部１５と、円筒状の連結部１４の外周面とに接触するように補強リブ６０が接合されている。これにより、曲げモーメントＭに対して剛性をさらに高めることができる。
【００５０】
また、補強リブ６０は、連結部１４の中心を基準として放射状に且つ等角度間隔に少なくとも３つ設けられる。これにより、連結継手１０の周方向における、曲げモーメントに対する剛性を均等にすることができる。
【００５１】
以上、本発明の一実施形態について説明したが、本発明が採り得る具体的な態様は、何ら上例のものに限定されるものではない。
【００５２】
例えば、上例では、杭状物として基礎用の鋼管杭２を例示したが、杭状物は、これに限られるものではなく、全ての柱状の構造物が意図されており、その材質についても何ら制限はなく、コンクリート製の物、金属製の物や樹脂製の物などが含まれる。
【００５３】
ごく一般的な他の例を挙げれば、例えば、図４に示すようなコンクリート製のパイルや、図５に示すような、コンクリート製のポールを例示することができる。
【００５４】
図４に示した連結体２１は、コンクリート製のパイル２２と連結継手３０とから構成される。パイル２２は、コンクリート製の杭本体２３と、この杭本体２３の両端部にそれぞれ設けられたリング状の端部部材２４，２７と、この端部部材２４，２７の外周部にそれぞれ外嵌された状態で溶接接合された管状の部材２３ａとから構成され、端部部材２４，２７は、その中心部に貫通穴である係合穴２５，２８が形成され、この係合穴２５，２８の周囲に、それぞれ複数の貫通したねじ穴２６，２９が形成されている。
【００５５】
また、連結継手３０は、一対のフランジ部３１，３５と、このフランジ部３１，３５間を連結する連結部３４とを一体的に備えるもので、各フランジ部３１，３５には、それぞれ外方に突出するように係合突出部３２，３６が形成され、更に、中心部には貫通穴３８が形成されている。
【００５６】
前記係合突出部３２，３６は、係合穴２５，２８と嵌合するように構成され、また、この係合突出部３２，３６の周囲には、前記端部部材２４，２７に形成されたねじ穴２６，２９に対応するように、ボルト穴３３，３７が形成されている。
【００５７】
そして、前記連結継手３０は、その一方の係合突出部３２が、一方のパイル２２の係合穴２５に嵌合されるとともに、他方の係合突出部３６が、他方のパイル２２の係合穴２８に嵌合された状態で、各フランジ部３１，３５のボルト穴３３，３７を通して、ボルト３９がパイル２２，２２のねじ穴２６，２９に締結されることによって、各パイル２２，２２に固着され、この連結継手３０を介して、パイル２２，２２が連結される。
【００５８】
斯くして、このような構成の連結体２１も、上例の連結体１と同様、その連結構造が強固であり、曲げモーメントに対しても高い剛性を備えている。
【００５９】
また、図５に示した連結体４１は、コンクリート製のポール４２と連結継手５０とから構成される。ポール４２は、コンクリート製の本体４３と、この本体４３の両端部にそれぞれ設けられたリング状の端部部材４４，４７と、この端部部材４４，４７の外周部にそれぞれ外嵌された状態で溶接接合された管状の部材４３ａとから構成され、端部部材４４，４７は、その中心部に貫通穴である係合穴４５，４８が形成され、この係合穴４５，４８の周囲に、それぞれ複数の貫通したねじ穴４６，４９が形成されている。
【００６０】
また、連結継手５０は、一対のフランジ部５１，５５と、このフランジ部５１，５５間を連結する連結部５４とを一体的に備えるもので、各フランジ部５１，５５には、それぞれ外方に突出するように係合突出部５２，５６が形成され、更に、中心部には貫通穴５８が形成されている。
【００６１】
前記係合突出部５２，５６は、係合穴４５，４８と嵌合するように構成され、また、この係合突出部５２，５６の周囲には、前記端部部材４４，４７に形成されたねじ穴４６，４９に対応するように、ボルト穴５３，５７が形成されている。
【００６２】
そして、前記連結継手５０は、その一方の係合突出部５２が、一方のポール４２の係合穴４５に嵌合されるとともに、他方の係合突出部５６が、他方のポール４２の係合穴４８に嵌合された状態で、各フランジ部５１，５５のボルト穴５３，５７を通して、ボルト５９がポール４２，４２のねじ穴４６，４９に締結されることによって、各ポール４２，４２に固着され、この連結継手５０を介して、ポール４２，４２が連結される。
【００６３】
斯くして、このような構成の連結体４１も、上例の連結体１と同様、その連結構造が強固であり、曲げモーメントに対しても高い剛性を備えている。
【００６４】
尚、これらパイル２２やポール４２は、従来、コンクリート内に鋼線が配設されたものがあり、この鋼線にプリテンションを加えるために、端部部材２４，２７，４４，４７に形成した貫通孔に、前記鋼線の端部を保持するようになったものがある。この場合、この貫通孔に雌ねじを形成することで、当該貫通孔を前記ねじ穴２６，２９，４６，４９として兼用することができる。
【００６５】
また、上例では、その鋼管杭２、パイル２２及びポール４２の両端部に、それぞれ端部部材４，７、端部部材２４，２７、及び端部部材４４，４７を設けた構成としたが、これに限られるものではなく、少なくとも連結側の端部に、必要な前記端部部材が設けられていれば良い。
【００６６】
また、上例では、連結継手１０のフランジ部１１に形成されるボルト穴１３と、フランジ部１５に形成されるボルト穴１７の周方向における位相角を同じ角度としたが、ボルト穴１３とボルト穴１７とで位相角が異なるようにしても良い。上記連結継手３０及び５０においても同様である。
【００６７】
また、上例では、係合穴５，８を貫通穴としたがこれに限られるものではなく、係合穴５，８は外方に開口した止まり穴であっても良い。
【００６８】
また、図２では４つの補強リブ６０を設けた例を示したが、これに限られるものではなく、補強リブ６０は少なくとも３つ設ければよい。したがって、補強リブ６０の数は例えば３つでもよいし、５つ以上でもよい。
【００６９】
また、上例では、補強リブ６０がフランジ部１１とフランジ部１５と連結部１４の外周面とに接触するように溶接されることとしたが、これに限られるものではなく、補強リブ６０は少なくとも前記フランジ部１１と前記フランジ部１５とに接触するように溶接されていればよい。
【００７０】
また、上例では、補強リブ６０の外縁部が一対のフランジ部１１，１５の外周縁部の位置まで延設されることとしたが、これに限られるものではなく、曲げモーメントに対して必要とされる剛性に応じ、補強リブ６０の外縁部を図２の状態から内側に向けて短くしてもよい。尚、他部材との干渉を防ぐ観点から、補強リブ６０の外縁部を図２の状態から外側に向けてさらに延ばさないことが望ましい。
【符号の説明】
【００７１】
１    連結体
２    鋼管杭
３    杭本体
４，７  端部部材
５，８  係合穴
６，９  ねじ穴
１０  連結継手
１１，１５  フランジ部
１２，１６  係合突出部
１３，１７  ボルト穴
１４  連結部
６０  補強リブ
【図１】
2016217128.tif 000003
【図２】
2016217128.tif 000004
【図３】
2016217128.tif 000005
【図４】
2016217128.tif 000006
【図５】
2016217128.tif 000007